Podtech/llm-jp-corpus-v4-ja_patent huggingface dataset:
【手続補正書】
【提出日】平成29年1月6日(2017.1.6)
【手続補正１】
【補正対象書類名】特許請求の範囲
【補正対象項目名】全文
【補正方法】変更
【補正の内容】
【特許請求の範囲】
【請求項１】
操作面及び表示面を有する前面と前記前面とは反対側の背面とを有する筐体を備え、
前記筐体には、
前記背面の一端側に設けられる第１の面と、
前記第１の面とは反対側の他端側に設けられる第２の面と、を有し、
前記第１の面と前記第２の面とは段状に接続され、
前記筐体の厚さは前記第２の面の側が前記第１の面の側よりも大きく形成され、前記前面において、少なくとも前記操作面の一部が前記第１の面に対向して形成され、少なくとも前記表示面の一部が前記第２の面に対向して形成されている、
携帯型情報処理装置。
【請求項２】
操作表示面を有する前面と前記前面とは反対側の背面とを有し、かつカードを読取るカードリーダ部を有する筐体を備え、
前記筐体は、
前記背面の一端側に設けられる第１の面と、
前記第１の面とは反対側の他端側に設けられる第２の面と、を有し、
前記筐体の厚さは前記第２の面の側が前記第１の面の側よりも大きく形成され、
前記第１の面と前記第２の面とは段状に接続される、
携帯型情報処理装置。
【手続補正２】
【補正対象書類名】明細書
【補正対象項目名】００１０
【補正方法】変更
【補正の内容】
【００１０】
本発明は、操作面及び表示面を有する前面と前記前面とは反対側の背面とを有する筐体を備え、前記筐体には、前記背面の一端側に設けられる第１の面と、前記第１の面とは反対側の他端側に設けられる第２の面と、を有し、前記第１の面と前記第２の面とは段状に接続され、前記筐体の厚さは前記第２の面の側が前記第１の面の側よりも大きく形成され、前記前面において、少なくとも前記操作面の一部が前記第１の面に対向して形成され、少なくとも前記表示面の一部が前記第２の面に対向して形成されている、携帯型情報処理装置である。
【手続補正書】
【提出日】平成29年5月10日(2017.5.10)
【手続補正１】
【補正対象書類名】特許請求の範囲
【補正対象項目名】全文
【補正方法】変更
【補正の内容】
【特許請求の範囲】
【請求項１】
下記式を有する化合物：
【化１】
2017114908.tif 000001
（式中、Ｒ１、Ｒ２、及びＲ３はモノ−、ジ−、トリ−、テトラ−置換、又は非置換を表し；
Ｒ、Ｒ′、Ｒ１、Ｒ２、Ｒ３、Ｒ４、Ｒ５、及びＲ６は独立に、水素、重水素、ハライド、アルキル、シクロアルキル、ヘテロアルキル、アリールアルキル、アルコキシ、アリールオキシ、アミノ、シリル、アルケニル、シクロアルケニル、ヘテロアルケニル、アルキニル、アリール、ヘテロアリール、アシル、カルボニル、カルボン酸、エステル、ニトリル、イソニトリル、スルファニル、スルフィニル、スルホニル、ホスフィノ、及びそれらの組み合わせからなる群から選択され；
任意の隣接するＲ、Ｒ′、Ｒ１、Ｒ２、Ｒ３、Ｒ４、Ｒ５、及びＲ６は任意選択により場合によっては連結していてもよく；
Ｘは、ＢＲ、ＮＲ、ＰＲ、Ｏ、Ｓ、Ｓｅ、Ｃ＝Ｏ、Ｓ＝Ｏ、ＳＯ２、ＣＲＲ′、ＳｉＲＲ′、及びＧｅＲＲ′からなる群から選択され；且つ、
ｍは１又は２である。）
からなる、有機発光デバイスの有機層において用いるための発光材料。
【請求項２】
Ｘが、Ｏ、Ｓ、Ｓｅ、及びＮＲ″からなる群から選択され；且つ、
Ｒ″が、メチル、エチル、ｎ−プロピル、イソプロピル、ｎ−ブチル、イソブチル、ｓｅｃ−ブチル、ネオペンチル、シクロペンチル、シクロへキシル、フェニル、２，６−ジメチルフェニル、及び２，６−ジイソプロピルフェニルからなる群から選択される、
請求項１に記載の発光材料。
【請求項３】
下記式のいずれか１つを有する、請求項２に記載の発光材料。
【化２】
2017114908.tif 000002
【請求項４】
下記式を有する、請求項２に記載の発光材料。
【化３】
2017114908.tif 000003
（式中、Ｒ７は、モノ−、ジ−、トリ−、テトラ−置換、又は非置換を表し、且つ、Ｒ７は、水素、重水素、ハライド、アルキル、シクロアルキル、ヘテロアルキル、アリールアルキル、アルコキシ、アリールオキシ、アミノ、シリル、アルケニル、シクロアルケニル、ヘテロアルケニル、アルキニル、アリール、ヘテロアリール、アシル、カルボニル、カルボン酸、エステル、ニトリル、イソニトリル、スルファニル、スルフィニル、スルホニル、ホスフィノ、及びそれらの組み合わせからなる群から選択される。）
【請求項５】
下記式を有する、請求項４に記載の発光材料。
【化４】
2017114908.tif 000004
【請求項６】
下記式を有する、請求項５に記載の発光材料。
【化５】
2017114908.tif 000005
【請求項７】
ｍが２である、請求項２に記載の発光材料。
【請求項８】
ＸがＯである、請求項２に記載の発光材料。
【請求項９】
Ｒ４がアルキルである、請求項２に記載の発光材料。
【請求項１０】
Ｒ４がアリール又は置換アリールである、請求項２に記載の発光材料。
【請求項１１】
Ｒ４が、
【化６】
2017114908.tif 000006
であり、
Ｒ′１、Ｒ′２、及びＲ′３は独立に、水素、重水素、ハライド、アルキル、シクロアルキル、ヘテロアルキル、アリールアルキル、アルコキシ、アリールオキシ、アミノ、シリル、アルケニル、シクロアルケニル、ヘテロアルケニル、アルキニル、アリール、ヘテロアリール、アシル、カルボニル、カルボン酸、エステル、ニトリル、イソニトリル、スルファニル、スルフィニル、スルホニル、ホスフィノ、及びそれらの組み合わせからなる群から選択され；
Ｒ′３は、モノ−、ジ−、トリ−、テトラ−置換、又は非置換を表し；
Ｒ′１及びＲ′２のうちの少なくとも１つは水素でも重水素でもなく；且つ、
環Ｃは５員又は６員の炭素環又はヘテロ環であり；且つ、
任意の隣接するＲ′１、Ｒ′２、及びＲ′３が任意選択により場合によっては結合して環を形成していてもよい、請求項１０に記載の発光材料。
【請求項１２】
Ｒ′１及びＲ′２の両方とも水素でも重水素でもない、請求項１１に記載の発光材料。
【請求項１３】
Ｒ′１、Ｒ′２、及びＲ′３が独立に、水素、重水素、メチル、エチル、イソプロピル、イソブチル、ネオペンチル、シクロペンチル、シクロへキシル、フェニル、及びそれらの組み合わせからなる群から選択される、請求項１１に記載の発光材料。
【請求項１４】
Ｒ１及びＲ２が独立に、水素、重水素、アルキル、シクロアルキル、及びそれらの組み合わせからなる群から選択される、請求項２に記載の発光材料。
【請求項１５】
以下のものからなる群から選択される、請求項２に記載の発光材料。
【化７】
2017114908.tif 000007
【化８】
2017114908.tif 000008
【化９】
2017114908.tif 000009
【化１０】
2017114908.tif 000010
【化１１】
2017114908.tif 000011
【請求項１６】
請求項１〜１５のいずれか一項に記載の発光材料を、有機発光デバイスの発光層において、ホストと組み合わせて用いる使用方法。
【請求項１７】
前記ホストがベンゾ縮合したチオフェン又はベンゾ縮合したフランを含むトリフェニレンを含み；
前記ホストのいずれかの置換基が、ＣｎＨ２ｎ＋１、ＯＣｎＨ２ｎ＋１、ＯＡｒ１、Ｎ（ＣｎＨ２ｎ＋１）２、Ｎ（Ａｒ１）（Ａｒ２）、ＣＨ＝ＣＨ−ＣｎＨ２ｎ＋１、Ｃ≡Ｃ−ＣｎＨ２ｎ＋１、Ａｒ１、Ａｒ１−Ａｒ２、及びＣｎＨ２ｎ−Ａｒ１からなる群から選択される非縮合置換基であるか、あるいは非置換であり；
ｎが１〜１０であり；且つ、
Ａｒ１及びＡｒ２は独立に、ベンゼン、ビフェニル、ナフタレン、トリフェニレン、カルバゾール、及びそれらのヘテロ芳香族類似体からなる群から選択される、
請求項１６に記載の使用方法。
【請求項１８】
前記ホストが下記式：
【化１２】
2017114908.tif 000012
（式中、ｐは０又は１である）
を有する１以上の化合物を含む、請求項１７に記載の使用方法。
【請求項１９】
前記ホストが以下のものからなる群から選択される、請求項１６に記載の使用方法。
【化１３】
2017114908.tif 000013
【化１４】
2017114908.tif 000014
及びそれらの組み合わせ。
【請求項２０】
前記ホストが金属錯体を含む、請求項１６に記載の使用方法。
【手続補正書】
【提出日】平成29年11月9日(2017.11.9)
【手続補正１】
【補正対象書類名】特許請求の範囲
【補正対象項目名】全文
【補正方法】変更
【補正の内容】
【特許請求の範囲】
【請求項１】
ポリスチレンを主成分とし、厚みが非発泡層の場合は５００〜７００μｍ、発泡層の場合は４００〜８００μｍであるポリスチレン樹脂層を一方の面とし、
ポリエチレン、ポリプロピレン又はポリエチレンテレフタレートである機能性樹脂を主成分とする機能性樹脂層を他方の面とし、該ポリスチレン樹脂層と機能性樹脂層が接着性樹脂が不飽和ジカルボン酸がポリオレフィンにグラフト結合している変性ポリオレフィンである厚みが３０〜６０μｍの接着性樹脂層を介して接着されている全厚が、ポリスチレン樹脂層が非発泡層の場合は６００〜８００μｍ、発泡層の場合は６００〜１０００μｍである多層シートをポリスチレン樹脂層を外層として成形し、該機能性樹脂層と接着性樹脂層が切断された分割溝が１〜４０μｍの深さでポリスチレン樹脂層内に達する様に設けられている食品又は医薬品の多層容器。
【請求項２】
多層シートのポリスチレン樹脂が発泡樹脂であり、機能性樹脂がポリエチレンである請求項１記載の多層容器。
【請求項３】
フランジ部を有し、分割溝がフランジ部に設けられている請求項１又は２記載の多層容器。
【請求項４】
乳製品を収容する容器である請求項１〜３のいずれかに記載の多層容器。
【手続補正２】
【補正対象書類名】明細書
【補正対象項目名】００１６
【補正方法】変更
【補正の内容】
【００１６】
ポリスチレン樹脂層の厚みは非発泡層の場合は２００〜１０００μｍ程度、特に５００〜７００μｍ程度であり、発砲層の場合は３００〜１５００μｍ程度、特に４００〜８００μｍ程度が適当である。厚みが非発泡層で２００μｍ未満、発泡層で３００μｍ未満になると剛性が不十分になり、一方、非発泡層で１０００μｍ、発砲層で１５００μｍを越えると容器が既に要求性能を満足している上に重くなりすぎるので好ましくない。
【手続補正３】
【補正対象書類名】明細書
【補正対象項目名】００１９
【補正方法】変更
【補正の内容】
【００１９】
機能性樹脂層は、接着性樹脂層とともにポリスチレン樹脂層の破断強度の弱さを補うものであり、容器の用途や要求される物性に応じて、ポリエチレン、ポリプロピレン、エチレン−酢酸ビニル共重合体、ポリエチレンテレフタレート、ポリアミド、エチレン−ビニルアルコール共重合体等から選ばれる。
【手続補正４】
【補正対象書類名】明細書
【補正対象項目名】００２５
【補正方法】変更
【補正の内容】
【００２５】
エチレン−酢酸ビニル共重合体は、柔軟性、低温特性の他、成形加工性にも優れているため幅広く一般包装用樹脂として使用されている。物性値としては、ＭＦＲが０．５〜８ｇ／１０分程度、好ましくは１〜４ｇ／１０分程度のものが望ましい。
【手続補正５】
【補正対象書類名】図面
【補正対象項目名】図３
【補正方法】変更
【補正の内容】
【図３】
2017114124.tif 000001
【手続補正書】
【提出日】平成29年7月27日(2017.7.27)
【手続補正１】
【補正対象書類名】明細書
【補正対象項目名】００２７
【補正方法】変更
【補正の内容】
【００２７】
前記スリット８２の形成位置よりテープ繰り出し方向下流側に、吸引室８１ｂに連通すると共にテープ支持面８１ａに開口する複数の吸着口８３がテープ繰り出し方向に所定間隔毎に離間して設けられている。この吸着口８３は、前記吸着ベルト５５の中央列の通孔５６ａの上方に該通孔５６ａと同一ライン上に並び、吸着ベルト５５の縦走行部４７ａまで送り出されて保持されている連続テープ１２の上流側においてテープ支持面８１ａに連続テープ１２が吸着される。そして、テープカッター５２で連続テープ１２が切断される前に吸着口８３に負圧が作用し、スリット８２より下流側の連続テープ１２をテープ支持面８１ａに吸着してスリット８２にわずかに引き込んだもとで、テープカッター５２で切断して得られたテープ１４の終端部側がスリット８２内に完全に引き込まれることで、粘着面同士が接着して一部が円弧状の非接着部として形成されたタブ１４ａが構成される(図５参照)。そして、テープカッター５２でテープ１４を切断した後において、吸着コンベヤ４６が走行を開始するのに合わせてタブ形成手段８０によるテープ１４の吸着が解放され、タブ形成手段８０によって形成されたタブ１４ａが終端部に有するタブ付テープ１４が、小袋１６との貼り合わせ位置より上流側の前記縦走行部４７ａを搬送される。
【手続補正書】
【提出日】平成29年9月29日(2017.9.29)
【手続補正１】
【補正対象書類名】特許請求の範囲
【補正対象項目名】全文
【補正方法】変更
【補正の内容】
【特許請求の範囲】
【請求項１】
ヒトＯＸ４０Ｒに結合する単離された結合分子を製造する方法であって、
該方法は、結合分子のアミノ酸配列をコードする核酸分子を含む一つ又はそれ以上の発現ベクターを含む宿主細胞中で結合分子のアミノ酸配列を発現することを含み、
ここで、結合分子は、
Ａ．
（ａ）配列番号１のアミノ酸配列を含む重鎖ＣＤＲ１；
（ｂ）配列番号２のアミノ酸配列を含む重鎖ＣＤＲ２；
（ｃ）配列番号３のアミノ酸配列を含む重鎖ＣＤＲ３；
（ｄ）配列番号４のアミノ酸配列を含む軽鎖ＣＤＲ１；
（ｅ）配列番号５のアミノ酸配列を含む軽鎖ＣＤＲ２；及び
（ｆ）配列番号６のアミノ酸配列を含む軽鎖ＣＤＲ３；又は
Ｂ．
（ａ）配列番号７のアミノ酸配列を含む重鎖可変領域；及び
（ｂ）配列番号８のアミノ酸配列を含む軽鎖可変領域；又は
Ｃ．
（ａ）配列番号１３のアミノ酸配列を含む重鎖ＣＤＲ１；
（ｂ）配列番号１４のアミノ酸配列を含む重鎖ＣＤＲ２；
（ｃ）配列番号１５のアミノ酸配列を含む重鎖ＣＤＲ３；
（ｄ）配列番号１６のアミノ酸配列を含む軽鎖ＣＤＲ１；
（ｅ）配列番号１７のアミノ酸配列を含む軽鎖ＣＤＲ２；及び
（ｆ）配列番号１８のアミノ酸配列を含む軽鎖ＣＤＲ３：又は
Ｄ．
（ａ）配列番号１９のアミノ酸配列を含む重鎖可変領域；及び
（ｂ）配列番号２０のアミノ酸配列を含む軽鎖可変領域
を含む、上記方法。
【請求項２】
結合分子が：（ａ）１×１０-6Ｍ又はそれ以下のＫDでヒトＯＸ４０Ｒに結合し；及び（ｂ）ヒトＯＸ４０Ｒに対してアゴニスト活性を有する、請求項１に記載の方法。
【請求項３】
結合分子がヒト抗体である、請求項１に記載の方法。
【請求項４】
結合分子がキメラ抗体又はヒト化抗体である、請求項１又は２に記載の方法。
【請求項５】
抗体が１００ｎＭ又はそれ以下のＫDでヒトＯＸ４０Ｒに結合する、請求項３に記載の方法。
【請求項６】
１００ｎＭ又はそれ以下のＫDでヒトＯＸ４０Ｒに結合する単離されたモノクローナル抗体を製造する方法であって、
該方法は、該モノクローナル抗体をコードするＤＮＡを含む発現ベクターを含む宿主細胞を培養することを含み、
ここで、モノクローナル抗体は：
（ｉ）配列番号１のアミノ酸配列を含む重鎖及び配列番号１０のアミノ酸配列を含む軽鎖；又は
（ｉｉ）配列番号２１のアミノ酸配列を含む重鎖及び配列番号２２のアミノ酸配列を含む軽鎖
を含む、上記方法。
【手続補正書】
【提出日】平成28年12月12日(2016.12.12)
【手続補正１】
【補正対象書類名】特許請求の範囲
【補正対象項目名】全文
【補正方法】変更
【補正の内容】
【特許請求の範囲】
【請求項１】
第一段階と、
第二段階と、を含み、
前記第一段階と第二段階が各々、インターリーブフィルタを備えているフリップフロップ回路であって、第一段階のインターリーブフィルタが、
第一段階遅延回路と、
フリップフロップ回路の入力に結合した第一入力、及び前記第一段階遅延回路の出力に結合した第二入力を備えている第一段階出力バッファと、を含んでいる、フリップフロップ回路。
【請求項２】
更に、第一段階出力バッファの出力と、フリップフロップの入力との間に結合した第一段階フィードバックインバータを含んでいる、請求項１に記載のフリップフロップ回路。
【請求項３】
第一段階遅延回路が、固定遅延回路を備えている、請求項１に記載のフリップフロップ回路。
【請求項４】
第一段階遅延回路が、選択可能遅延回路を備えている、請求項１に記載のフリップフロップ回路。
【請求項５】
第二段階のインターリーブフィルタが、
第二段階遅延回路と、
前記第二段階の入力に結合した第一入力、及び前記第二段階遅延回路の出力に結合した第二入力を備えている第二段階出力バッファと、を含んでいる、請求項１に記載のフリップフロップ回路。
【請求項６】
更に、第二段階出力バッファの出力と、第二段階の入力との間に結合した第二段階フィードバックインバータを含んでいる、請求項５に記載のフリップフロップ回路。
【請求項７】
第二段階遅延回路が、固定遅延回路を備えている、請求項５に記載のフリップフロップ回路。
【請求項８】
第二段階遅延回路が、選択可能遅延回路を備えている、請求項５に記載のフリップフロップ回路。
【手続補正書】
【提出日】平成29年9月8日(2017.9.8)
【手続補正１】
【補正対象書類名】特許請求の範囲
【補正対象項目名】全文
【補正方法】変更
【補正の内容】
【特許請求の範囲】
【請求項１】
ＬＥＤ装置であって、
第一端及び第二端を有する透明サブ基板と、
前記第一端に位置する第一導電電極板と、
前記第二端に位置する第二導電電極板と、
前記透明サブ基板上に固着され、かつ前記第一導電電極板及び前記第二導電電極板と電気接続される第一ＬＥＤユニットと、
前記第一ＬＥＤユニットを収容し、かつ互いに接続された透明カバー、第一金属導電フレーム及び第二金属導電フレームを含む支持構造と、
前記第一ＬＥＤユニットを覆い、かつ前記第一導電電極板及び前記第二導電電極板を露出させる透光構造とを含み、
前記透明カバーは管状外形を有し、
前記第一金属導電フレーム及び前記第二金属導電フレームは前記透明カバーの両端に位置し、前記第一ＬＥＤユニットに電源を提供する、
ＬＥＤ装置。
【請求項２】
透明基板を更に含み、
前記第一ＬＥＤユニットが前記透明基板上に形成される、請求項１に記載のＬＥＤ装置。
【請求項３】
前記透明基板上に形成され、かつ前記第一ＬＥＤユニットと互いに電気的に直列接続される第二ＬＥＤユニットを更に含む、請求項２に記載のＬＥＤ装置。
【請求項４】
前記第一ＬＥＤユニット及び前記第二ＬＥＤユニットは、半導体工程により前記透明基板上に形成され、かつ同じ発光積層を有する、請求項３に記載のＬＥＤ装置。
【請求項５】
前記第一ＬＥＤユニット及び前記第二ＬＥＤユニットは、金属層により電気接続される、請求項３に記載のＬＥＤ装置。
【請求項６】
前記第一ＬＥＤユニットはフリップチップ方法により前記透明サブ基板上に固着される、請求項１に記載のＬＥＤ装置。
【請求項７】
前記第一ＬＥＤユニットは、ボンディングワイヤまたは銀ペーストにより、前記第一導電電極板または前記第二導電電極板に接続される、請求項１に記載のＬＥＤ装置。
【請求項８】
前記透光構造は蛍光粉末を含む、請求項１に記載のＬＥＤ装置。
【請求項９】
前記透光構造は第一蛍光層及び第二蛍光層を含み、
前記第一蛍光層は前記第一ＬＥＤユニットの上に位置し、
前記第二蛍光層は前記第一ＬＥＤユニットの下に位置する、請求項１に記載のＬＥＤ装置。
【請求項１０】
前記透光構造は第一蛍光層及び第二蛍光層を含み、
前記第一蛍光層は前記第一ＬＥＤユニットの上に位置し、
前記第二蛍光層は前記透明サブ基板と前記第一ＬＥＤユニットとの間、または前記透明サブ基板の下方に位置する、請求項１に記載のＬＥＤ装置。
【手続補正書】
【提出日】平成29年9月5日(2017.9.5)
【手続補正１】
【補正対象書類名】特許請求の範囲
【補正対象項目名】全文
【補正方法】変更
【補正の内容】
【特許請求の範囲】
【請求項１】
湾曲フィラメントを含む発光ダイオード電球であって、
第一表面及び第二表面を含む基板と、
前記第一表面の上に形成されている発光ダイオードチップと、
前記発光ダイオードチップを略覆う第一波長変更層と、
前記湾曲フィラメントを支持し、且つ前記発光ダイオードチップに電気接続される導電ワイヤと、を含む、発光ダイオード電球。
【請求項２】
前記基板は、可撓性透明基板である、請求項１に記載の発光ダイオード電球。
【請求項３】
前記基板は、前記第一表面と前記第二表面との間に位置する側壁を更に含み、前記側壁は、前記第一波長変更層により完全に覆われない、請求項１に記載の発光ダイオード電球。
【請求項４】
前記第一表面の上に形成されている複数の導電区域を更に含む、請求項１に記載の発光ダイオード電球。
【請求項５】
前記第一波長変更層は、前記複数の導電区域の部分を露出させる、請求項４に記載の発光ダイオード電球。
【請求項６】
前記第二表面を覆う第二波長変更層を更に含む、請求項１に記載の発光ダイオード電球。
【請求項７】
前記湾曲フィラメントを取り囲む支持フレームを更に含む、請求項１に記載の発光ダイオード電球。
【請求項８】
発光ダイオード電球であって、
電球口金と、
前記電球口金に接続され、且つ収納空間を定義するカバーと、
前記収納空間に位置し、且つ第一表面及び該第一表面の反対側にある第二表面を含む湾曲基板と、
前記第一表面の上に設置されている発光ダイオードチップと、
前記第一表面に設けられており、且つ前記発光ダイオードチップを覆う第一波長変更層と、
前記発光ダイオードチップに電気接続される導電ワイヤと、
前記湾曲基板の頭尾両端でない位置に接続される支持フレームと、を含む、発光ダイオード電球。
【請求項９】
前記支持フレームは、前記湾曲基板を取り囲む支持リングを更に含む、請求項８に記載の発光ダイオード電球。
【請求項１０】
前記第二表面を覆う第二波長変更層を更に含む、請求項８に記載の発光ダイオード電球。
【手続補正書】
【提出日】平成29年10月13日(2017.10.13)
【手続補正１】
【補正対象書類名】明細書
【補正対象項目名】発明の名称
【補正方法】変更
【補正の内容】
【発明の名称】使用済み衛生用品のオゾン処理方法およびオゾン処理装置
【手続補正２】
【補正対象書類名】特許請求の範囲
【補正対象項目名】全文
【補正方法】変更
【補正の内容】
【特許請求の範囲】
【請求項１】
パルプ繊維および高吸水性ポリマーを含む使用済み衛生用品のオゾン処理方法であって、使用済み衛生用品またはパルプ繊維をオゾン含有水溶液に浸漬して、オゾン含有水溶液の中にオゾンガスを吹き込むことによって、使用済み衛生用品中のまたはパルプ繊維に付着した高吸水性ポリマーを分解することを特徴とする方法。
【請求項２】
オゾン含有水溶液の中にオゾンガスを吹き込み、オゾンガスの泡の上昇によって、オゾン含有水溶液の中に流れを発生させることを特徴とする請求項１に記載の方法。
【請求項３】
オゾン含有水溶液を攪拌することを特徴とする請求項１に記載の方法。
【請求項４】
パルプ繊維および高吸水性ポリマーを含む使用済み衛生用品のオゾン処理装置であって、前記装置は、容器、容器に入れられたオゾン含有水溶液、およびオゾン含有水溶液の中にオゾンガスを吹き込むためのオゾンガス吹き込み口を有し、使用済み衛生用品またはパルプ繊維はオゾン含有水溶液に浸漬され、オゾンガス吹き込み口からオゾン含有水溶液の中にオゾンガスを吹き込むことを特徴とする装置。
【請求項５】
オゾン含有水溶液の中にオゾンガスを吹き込み、オゾンガスの泡の上昇によって、オゾン含有水溶液の中に流れを発生させることを特徴とする請求項４に記載の装置。
【請求項６】
オゾン含有水溶液を攪拌することを特徴とする請求項４に記載の装置。
【手続補正書】
【提出日】平成29年10月13日(2017.10.13)
【手続補正１】
【補正対象書類名】特許請求の範囲
【補正対象項目名】全文
【補正方法】変更
【補正の内容】
【特許請求の範囲】
【請求項１】
ナノメータオーダの微細な線状の凹凸を表面に有する原盤を、単層または積層の樹脂フィルムである基材フィルムのガラス転移温度よりも低い温度で、前記基材フィルムの表面に直接、押圧し、それにより、前記基材フィルムの表面に、前記原盤の凹凸に対応するパターンを転写する配向フィルムの製造方法であって、
前記基材フィルムは、面角が１３６度のダイヤモンド格子を、当該基材フィルムの表層の塑性変形領域に達する程度の力で当該基材フィルムの表面に押し込んだ後、押し込み力を解除したときに当該基材フィルムに残存する塑性変形量が以下の式を満たす材料からなる配向フィルムの製造方法：
Ｄｐ≧０．２５×Ｄｍａｘ
Ｄｐ：押し込み力を解除したときに当該基材フィルムに残存する塑性変形量
Ｄｍａｘ：前記ダイヤモンド格子を１ｍＮの力で前記基材フィルムの表面に押し込んだときの最大押し込み変形量。
【請求項２】
前記原盤の凹凸は、第１方向に延在した第１凹凸を含む複数の第１領域と、前記第１方向と交差する第２方向に延在した第２凹凸を含む複数の第２領域とを有し、
前記第１領域および前記第２領域は、それぞれ帯状となっており、かつ交互に配置されている請求項１に記載の配向フィルムの製造方法。
【請求項３】
ナノメータオーダの微細な線状の凹凸を表面に有する原盤を、単層または積層の樹脂フィルムである基材フィルムのガラス転移温度よりも低い温度で、前記基材フィルムの表面に直接、押圧することにより、前記基材フィルムの表面に、前記原盤の凹凸に対応するパターンを転写する第１ステップと、
前記パターンを有する基材フィルムの表面に直接、液晶性モノマーを含む溶液を配置して、液晶性モノマーを配向させたのち、配向した後の液晶性モノマーを重合させる第２ステップと
を含む位相差フィルムの製造方法であって、
前記基材フィルムは、面角が１３６度のダイヤモンド格子を、当該基材フィルムの表層の塑性変形領域に達する程度の力で当該基材フィルムの表面に押し込んだ後、押し込み力を解除したときに当該基材フィルムに残存する塑性変形量が以下の式を満たす材料からなる位相差フィルムの製造方法：
Ｄｐ≧０．２５×Ｄｍａｘ
Ｄｐ：押し込み力を解除したときに当該基材フィルムに残存する塑性変形量
Ｄｍａｘ：前記ダイヤモンド格子を１ｍＮの力で前記基材フィルムの表面に押し込んだときの最大押し込み変形量。
【請求項４】
ナノメータオーダの微細な線状の凹凸を基材フィルムの表面に有し、
前記凹凸は、当該凹凸に対応するパターンを表面に有する原盤を、単層または積層の樹脂フィルムである基材フィルムのガラス転移温度よりも低い温度で、前記基材フィルムの表面に直接、押圧することにより形成されたものである配向フィルムであって、
前記基材フィルムは、面角が１３６度のダイヤモンド格子を、当該基材フィルムの表層の塑性変形領域に達する程度の力で当該基材フィルムの表面に押し込んだ後、押し込み力を解除したときに当該基材フィルムに残存する塑性変形量が以下の式を満たす材料からなる配向フィルム：
Ｄｐ≧０．２５×Ｄｍａｘ
Ｄｐ：押し込み力を解除したときに当該基材フィルムに残存する塑性変形量
Ｄｍａｘ：前記ダイヤモンド格子を１ｍＮの力で前記基材フィルムの表面に押し込んだときの最大押し込み変形量。
【請求項５】
ナノメータオーダの微細な線状の凹凸を表面に有する基材フィルムと、
前記基材フィルムの表面に直接、接するとともに、前記基材フィルムの凹凸に応じた遅相軸を有する位相差層と
を備え、
前記凹凸は、当該凹凸に対応するパターンを表面に有する原盤を、単層または積層の樹脂フィルムである基材フィルムのガラス転移温度よりも低い温度で、前記基材フィルムの表面に直接、押圧することにより形成されたものである位相差フィルムであって、
前記基材フィルムは、面角が１３６度のダイヤモンド格子を、当該基材フィルムの表層の塑性変形領域に達する程度の力で当該基材フィルムの表面に押し込んだ後、押し込み力を解除したときに当該基材フィルムに残存する塑性変形量が以下の式を満たす材料からなる位相差フィルム：
Ｄｐ≧０．２５×Ｄｍａｘ
Ｄｐ：押し込み力を解除したときに当該基材フィルムに残存する塑性変形量
Ｄｍａｘ：前記ダイヤモンド格子を１ｍＮの力で前記基材フィルムの表面に押し込んだときの最大押し込み変形量。
【手続補正書】
【提出日】平成29年11月6日(2017.11.6)
【手続補正１】
【補正対象書類名】明細書
【補正対象項目名】０００７
【補正方法】変更
【補正の内容】
【０００７】
上記課題を解決するため、本発明の一態様によれば、
表示手段と、
前記表示手段の表示内容に関する２次元コードの生成を指示する指示手段と、
前記指示手段による指示があると、当該指示があった時の前記表示手段の表示内容を判別する判別手段と、
前記判別手段により判別された表示内容に関する２次元コードを生成する生成手段と、
前記２次元コードを前記表示手段に表示させる制御手段と、
を備え、
前記生成手段は、
前記判別手段により前記表示手段にコマンドに関する内容が表示されていると判別された場合に、
サーバー上の前記コマンドの内容に関するページのアドレスを含む２次元コードを生成することを特徴とする電子機器が提供される。
【手続補正２】
【補正対象書類名】明細書
【補正対象項目名】０００８
【補正方法】変更
【補正の内容】
【０００８】
本発明の他の態様によれば、
第１の電子機器、サーバーおよび第２電子機器を含む表示システムにおいて、
前記第１の電子機器が、
表示手段と、
前記表示手段の表示内容に関する２次元コードの生成を指示する指示手段と、
前記指示手段による指示があると、当該指示があった時の前記表示手段の表示内容を判別する判別手段と、
前記判別手段により判別された表示内容に関する２次元コードを生成する生成手段と、
前記２次元コードを前記表示手段に表示させる制御手段とを備え、
前記生成手段は、
前記判別手段により前記表示手段にコマンドに関する内容が表示されていると判別された場合に、
サーバー上の前記コマンドの内容に関するページのアドレスを含む２次元コードを生成し、
前記サーバーが、
前記表示内容に対応する説明情報を蓄積するデータベースを備え、
前記第２の電子機器が、
前記２次元コードを撮像する撮像手段と、
前記撮像手段により撮像された前記２次元コードをデコードするデコード手段と、
前記デコード手段によりデコードされた情報に基づき前記サーバーのデータベースにアクセスするための通信手段とを備えることを特徴とする表示システムが提供される。
【手続補正３】
【補正対象書類名】特許請求の範囲
【補正対象項目名】全文
【補正方法】変更
【補正の内容】
【特許請求の範囲】
【請求項１】
表示手段と、
前記表示手段の表示内容に関する２次元コードの生成を指示する指示手段と、
前記指示手段による指示があると、当該指示があった時の前記表示手段の表示内容を判別する判別手段と、
前記判別手段により判別された表示内容に関する２次元コードを生成する生成手段と、
前記２次元コードを前記表示手段に表示させる制御手段と、
を備え、
前記生成手段は、
前記判別手段により前記表示手段にコマンドに関する内容が表示されていると判別された場合に、
サーバー上の前記コマンドの内容に関するページのアドレスを含む２次元コードを生成することを特徴とする電子機器。
【請求項２】
前記生成手段は、
前記判別手段により前記表示手段にコマンド入力中の画面またはコマンド実行後の結果画面が表示されていると判別された場合に、
前記２次元コードを生成することを特徴とする請求項１に記載の電子機器。
【請求項３】
前記生成手段は、
前記判別手段により前記表示手段にコマンド入力中の画面またはコマンド実行後の結果画面において２つ以上の複数のコマンドが表示されていると判別された場合に、
当該複数のコマンドの優先順位を含む２次元コードを生成することを特徴とする請求項２に記載の電子機器。
【請求項４】
前記生成手段は、
当該電子機器の製品または対象とするユーザーのレベルに応じた２次元コードを生成することを特徴とする請求項１〜３のいずれか一項に記載の電子機器。
【請求項５】
前記判別手段は、前記指示手段による指示があると、当該指示があった時に実行中の処理内容に基づいて、前記表示手段の表示内容を判別することを特徴とする請求項１〜４のいずれか一項に記載の電子機器。
【請求項６】
第１の電子機器、サーバーおよび第２電子機器を含む表示システムにおいて、
前記第１の電子機器が、
表示手段と、
前記表示手段の表示内容に関する２次元コードの生成を指示する指示手段と、
前記指示手段による指示があると、当該指示があった時の前記表示手段の表示内容を判別する判別手段と、
前記判別手段により判別された表示内容に関する２次元コードを生成する生成手段と、
前記２次元コードを前記表示手段に表示させる制御手段とを備え、
前記生成手段は、
前記判別手段により前記表示手段にコマンドに関する内容が表示されていると判別された場合に、
サーバー上の前記コマンドの内容に関するページのアドレスを含む２次元コードを生成し、
前記サーバーが、
前記表示内容に対応する説明情報を蓄積するデータベースを備え、
前記第２の電子機器が、
前記２次元コードを撮像する撮像手段と、
前記撮像手段により撮像された前記２次元コードをデコードするデコード手段と、
前記デコード手段によりデコードされた情報に基づき前記サーバーのデータベースにアクセスするための通信手段とを備えることを特徴とする表示システム。
【手続補正書】
【提出日】平成29年6月22日(2017.6.22)
【手続補正１】
【補正対象書類名】特許請求の範囲
【補正対象項目名】全文
【補正方法】変更
【補正の内容】
【特許請求の範囲】
【請求項１】
工業規格への登録の達成に向けた推移を電子的に監視するための方法において、
依頼人の要求、前記依頼人への訪問、品質管理システム登録機関による事前評価及び登録監査の計画、前記要求と訪問に基づいた品質手引き及び品質手順、及び前記事前評価及び登録監査に基づいた前記品質手順及び品質手引きの更新を示す入力のプロセッサによる受信に応答して、
前記プロセッサによって前記入力を処理し、前記訪問、前記計画、及び前記更新が、前記プロセッサによって記憶されている所定の主要管理点の日までに実行されているかどうかを示すデータを計算する段階、
前記プロセッサによって計算された前記データに基づいて出力を生成し、それにより前記プロセッサと動作的に配置されたディスプレイが前記プロセッサによって生成された出力を表示するようにする段階、から成ることを特徴とする方法。
【請求項２】
前記工業規格は、ＩＳＯ９００１：２０００、ＩＳＯ９００１／９００２：１９９４、ＱＳ−９０００、ＩＳＯ／ＴＳ１６９４９、ＶＤＡ６．１、ＴＬ９０００、ＩＳＯ１３４８５、治工具及び機器（ＴＥ）補遺、半導体補遺、ＩＳＯ１４００１、ＡＳ９１００、ＩＳＯ／ＩＥＣ１７０２５又はＯＨＳＡＳ１８００１である、請求項１に記載の方法。
【請求項３】
前記所定の時間フレームは１８０日である請求項１に記載の方法。
【手続補正書】
【提出日】平成29年10月21日(2017.10.21)
【手続補正１】
【補正対象書類名】特許請求の範囲
【補正対象項目名】全文
【補正方法】変更
【補正の内容】
【特許請求の範囲】
【請求項１】
所定の健康状態に対応付けて栄養素の必要量を記憶する第１のデータベースと、
料理メニューごとに栄養素の含有量を記憶する第２のデータベースと、
ユーザの健康情報の入力を受け付ける入力部と、
前記健康情報に応じて前記ユーザの健康状態を特定する特定部と、
前記ユーザの健康状態に対する前記栄養素の必要量を前記第１のデータベースから取得し、前記必要量と前記料理メニューにおける前記栄養素の含有量とに基づいて料理メニューをポイント化する評価部と、
気象情報を取得して、前記気象情報に応じて前記料理メニューのポイントを調整し、前記ポイントの高い前記料理メニューを選び出す決定部と、
選び出された料理メニューの情報を出力する通信部と、
を備えていることを特徴とするメニュー提供システム。
【請求項２】
前記気象情報および前記健康状態に応じて健康アドバイスを生成する制御部をさらに備え、
前記通信部は、前記健康アドバスを含む前記料理メニューの情報を出力することを特徴とする請求項１に記載のメニュー提供システム。
【請求項３】
前記評価部は、前記ユーザの年齢、性別、身長、体重、体脂肪率及び出身地の少なくともいずれかを含むユーザ情報に応じて前記栄養素の必要量を補正することを特徴とする請求項１または２に記載のメニュー提供システム。
【請求項４】
前記評価部は、食事の時間ごとの食事量に応じて前記栄養素の必要量を補正することを特徴とする請求項１〜３のいずれかに記載のメニュー提供システム。
【請求項５】
前記決定部は、前記食事の時間における前記気象情報を取得して前記ポイントを調整することを特徴とする請求項４に記載のメニュー提供システム。
【請求項６】
食材ごとに栄養素の含有量を記憶する第３のデータベースをさらに備え、
前記通信部は、選び出された料理メニューに対応する栄養素を含む食材を販売するウェブサイトの情報を出力することを特徴とする請求項１〜５のいずれかに記載のメニュー提供システム。
【請求項７】
食材ごとに栄養素の含有量を記憶する第３のデータベースをさらに備え、
前記通信部は、選び出された料理メニューに対応する栄養素を含む食材を購入可能な現実店舗の情報を出力することを特徴とする請求項１〜５のいずれかに記載のメニュー提供システム。
【請求項８】
前記通信部は、前記現実店舗に行くための交通機関を案内する情報を出力することを特徴とする請求項７に記載のメニュー提供システム。
【請求項９】
ユーザの健康情報の入力を受け付ける入力部と、
前記健康情報に応じて前記ユーザの健康状態を特定する特定部と、
所定の健康状態に対応付けて栄養素の必要量を記憶する第１のデータベースと、料理メニューごとに栄養素の含有量を記憶する第２のデータベースと、を参照して、前記ユーザの健康状態に対する前記栄養素の必要量を取得し、前記必要量と前記料理メニューにおける前記栄養素の含有量とに基づいて料理メニューをポイント化する評価部と、
気象情報を取得して、前記気象情報に応じて前記料理メニューのポイントを調整し、前記ポイントの高い前記料理メニューを選び出す決定部と、
選び出された料理メニューの情報を出力する通信部と、
を備えていることを特徴とするメニュー提供システム。
【手続補正書】
【提出日】平成29年3月13日(2017.3.13)
【手続補正１】
【補正対象書類名】特許請求の範囲
【補正対象項目名】全文
【補正方法】変更
【補正の内容】
【特許請求の範囲】
【請求項１】
Ａｇ：１〜４質量％、Ｃｕ：０．５〜０．８質量％、Ｓｂ：１〜５質量％、Ｎｉ：０．０１〜０．２質量％、残部Ｓｎからなることを特徴とする鉛フリーはんだ合金。
【請求項２】
さらに、Ｂｉ：１．５〜５．５質量％を含有することを特徴とする請求項１に記載の鉛フリーはんだ合金。
【請求項３】
さらに、Ｃｏを０．００１〜０．１質量％含有することを特徴とする請求項１または２に記載の鉛フリーはんだ合金。
【請求項４】
請求項１〜３のいずれかに記載の鉛フリーはんだ合金であって、温度サイクル試験の３０００サイクル後の初期値に対するシェア強度残存率が３０％以上であることを特徴とする鉛フリーはんだ合金。
【請求項５】
請求項１〜４のいずれかに記載の鉛フリーはんだ合金であって、Ｃｕ−ＯＳＰ処理を施した基板と接合されることを特徴とする鉛フリーはんだ合金。
【請求項６】
請求項１〜５のいずれかに記載の鉛フリーはんだ合金からなるはんだ接合部を有する車載電子回路。
【請求項７】
請求項１〜５のいずれかに記載の鉛フリーはんだ合金からなるはんだ接合部を有するＥＣＵ電子回路。
【請求項８】
請求項６に記載の電子回路を備えた車載電子回路装置。
【請求項９】
請求項７に記載のＥＣＵ電子回路を備えたＥＣＵ電子回路装置。
【手続補正書】
【提出日】平成29年6月29日(2017.6.29)
【手続補正１】
【補正対象書類名】特許請求の範囲
【補正対象項目名】全文
【補正方法】変更
【補正の内容】
【特許請求の範囲】
【請求項１】
人体に装着された状態で使用される電子機器であって、
赤色光を発光する第１ＬＥＤと、赤外光を発光する第２ＬＥＤと、前記第１ＬＥＤおよび前記第２ＬＥＤが発光する光と異なり、かつ、互いに異なる波長の光を発光する第３ＬＥＤおよび第４ＬＥＤとを含む複数の発光デバイスと、
前記複数の発光デバイスにより発光され、前記電子機器を装着する人体により反射される反射光または前記人体を透過する透過光を受光する受光デバイスと、
前記電子機器を装着する人体の動きを検出するセンサと、
生体情報取得プログラムを含む各種プログラムを実行するＣＰＵと、
を具備し、
前記ＣＰＵは、
前記センサにより検出される前記動きの大きさが閾値未満の場合、赤色光を発光する前記第１ＬＥＤと赤外光を発光する前記第２ＬＥＤとの２つの発光デバイスを発光させ、その反射光または透過光を受光する前記受光デバイスからの出力信号に基づき前記人体の生体情報を取得し、
前記センサにより検出される前記動きの大きさが前記閾値以上の場合、赤色光を発光する前記第１ＬＥＤと、赤外光を発光する前記第２ＬＥＤと、前記第１ＬＥＤおよび前記第２ＬＥＤが発光する光と異なり、かつ、互いに異なる波長の光を発光する前記第３ＬＥＤおよび前記第４ＬＥＤとの４つの発光デバイスを発光させ、その反射光または透過光を受光する前記受光デバイスからの出力信号に基づき前記人体の生体情報を取得する、
電子機器。
【請求項２】
前記第１ＬＥＤ、前記第２ＬＥＤ、前記第３ＬＥＤおよび前記第４ＬＥＤは、前記受光デバイスに到達するまでの各々が発光する光の経路が略等距離となるように配置される請求項１に記載の電子機器。
【請求項３】
前記第１ＬＥＤ、前記第２ＬＥＤ、前記第３ＬＥＤおよび前記第４ＬＥＤは、前記受光デバイスを中心とする円の円周上に配置される請求項２に記載の電子機器。
【請求項４】
前記第３ＬＥＤは、還元ヘモグロビン［Ｈｂ］の方が酸化ヘモグロビン［ＨｂＯ2］よりも多く吸収される波長の光を発光し、
前記第４ＬＥＤは、前記酸化ヘモグロビン［ＨｂＯ2］の方が前記還元ヘモグロビン［Ｈｂ］よりも多く吸収される波長の光を発光する、
請求項１に記載の電子機器。
【請求項５】
前記発光デバイスは、前記複数の発光デバイスの発光タイミングを示す同期信号に応じて前記生体情報を出力する請求項１に記載の電子機器。
【請求項６】
電子機器の制御方法であって、
センサにより前記電子機器を装着する人体の動きを検出することと、
前記センサにより検出される前記動きの大きさが閾値未満の場合、赤色光を発光する第１ＬＥＤと赤外光を発光する第２ＬＥＤとの２つの発光デバイスを発光させ、その反射光または透過光を受光する受光デバイスからの出力信号に基づき前記人体の生体情報を取得することと、
前記センサにより検出される前記動きの大きさが前記閾値以上の場合、赤色光を発光する前記第１ＬＥＤと、赤外光を発光する前記第２ＬＥＤと、前記第１ＬＥＤおよび前記第２ＬＥＤが発光する光と異なり、かつ、互いに異なる波長の光を発光する第３ＬＥＤおよび第４ＬＥＤとの４つの発光デバイスを発光させ、その反射光または透過光を受光する前記受光デバイスからの出力信号に基づき前記人体の生体情報を取得することと、
を具備する制御方法。
【手続補正２】
【補正対象書類名】明細書
【補正対象項目名】０００８
【補正方法】変更
【補正の内容】
【０００８】
実施形態によれば、電子機器は、人体に装着された状態で使用される。電子機器は、複数の発光デバイスと、受光デバイスと、センサと、ＣＰＵとを具備する。
【手続補正３】
【補正対象書類名】明細書
【補正対象項目名】０００９
【補正方法】変更
【補正の内容】
【０００９】
複数の発光デバイスは、赤色光を発光する第１ＬＥＤと、赤外光を発光する第２ＬＥＤと、前記第１ＬＥＤおよび前記第２ＬＥＤが発光する光と異なり、かつ、互いに異なる波長の光を発光する第３ＬＥＤおよび第４ＬＥＤとを含む。受光デバイスは、前記複数の発光デバイスにより発光され、前記電子機器を装着する人体により反射される反射光または前記人体を透過する透過光を受光する。センサは、前記電子機器を装着する人体の動きを検出する。ＣＰＵは、生体情報取得プログラムを含む各種プログラムを実行する。前記ＣＰＵは、前記センサにより検出される前記動きの大きさが閾値未満の場合、赤色光を発光する前記第１ＬＥＤと赤外光を発光する前記第２ＬＥＤとの２つの発光デバイスを発光させ、その反射光または透過光を受光する前記受光デバイスからの出力信号に基づき前記人体の生体情報を取得し、前記センサにより検出される前記動きの大きさが前記閾値以上の場合、赤色光を発光する前記第１ＬＥＤと、赤外光を発光する前記第２ＬＥＤと、前記第１ＬＥＤおよび前記第２ＬＥＤが発光する光と異なり、かつ、互いに異なる波長の光を発光する前記第３ＬＥＤおよび前記第４ＬＥＤとの４つの発光デバイスを発光させ、その反射光または透過光を受光する前記受光デバイスからの出力信号に基づき前記人体の生体情報を取得する。
【手続補正書】
【提出日】平成29年1月20日(2017.1.20)
【手続補正１】
【補正対象書類名】特許請求の範囲
【補正対象項目名】全文
【補正方法】変更
【補正の内容】
【特許請求の範囲】
【請求項１】
プロセッサが、対象のセンシングデータに基づいて、前記対象に発生するアクションおよび前記アクションの発生時刻を特定することと、
前記特定されたアクションに応じて、提供されるフィードバックを決定することと、
前記発生時刻に対応する時刻に前記フィードバックを提供することと
を含むフィードバック提供方法。
【請求項２】
前記アクションを特定することは、前記アクションに対応するセンシングデータのパターンを認識することを含む、請求項１に記載のフィードバック提供方法。
【請求項３】
前記アクションおよび前記発生時刻を特定することは、
前記センシングデータと前記パターンとの部分的なマッチングによって、前記発生時刻よりも前の第１の時刻に前記アクションを特定することと、
前記第１の時刻以降の前記センシングデータが前記パターンに従うと仮定することによって前記発生時刻を特定することと
を含む、請求項２に記載のフィードバック提供方法。
【請求項４】
前記アクションを特定することは、前記アクションのクラスを特定することを含み、
前記フィードバックを決定することは、前記アクションのクラスごとに用意されたフィードバックの中から前記提供されるフィードバックを選択することを含む、請求項１〜３のいずれか１項に記載のフィードバック提供方法。
【請求項５】
前記アクションのクラスは、前記アクションの種類、または前記アクションの巧拙に対応して定義される、請求項４に記載のフィードバック提供方法。
【請求項６】
前記アクションは、打具にインパクトを発生させるアクションを含み、
前記アクションのクラスは、前記インパクトが発生した前記打具上の位置に対応して定義される、請求項４又は５に記載のフィードバック提供方法。
【請求項７】
前記センシングデータは、第１の装置に含まれるセンサによって提供され、
前記フィードバックを提供することは、前記第１の装置に含まれる出力装置を用いてフィードバックを提供することを含む、請求項１〜６のいずれか１項に記載のフィードバック提供方法。
【請求項８】
前記センシングデータは、第１の装置に含まれるセンサによって提供され、
前記フィードバックを提供することは、前記第１の装置とは異なる第２の装置に含まれる出力装置を用いてフィードバックを提供することを含む、請求項１〜６のいずれか１項に記載のフィードバック提供方法。
【請求項９】
前記フィードバックを提供することは、前記センシングデータとともに取得された映像が再生されるときに、前記映像において前記アクションが発生した時刻にフィードバックを提供することを含む、請求項１〜８のいずれか１項に記載のフィードバック提供方法。
【請求項１０】
前記フィードバックは、過去に取得されたセンシングデータに基づいて生成される、請求項１〜９のいずれか１項に記載のフィードバック提供方法。
【請求項１１】
前記フィードバックは、過去に取得された第１のユーザのセンシングデータに基づいて生成され、前記第１のユーザ自身に提供される、請求項１０に記載のフィードバック提供方法。
【請求項１２】
前記フィードバックは、過去に取得された第１のユーザのセンシングデータに基づいて生成され、前記第１のユーザとは異なる第２のユーザに提供される、請求項１０に記載のフィードバック提供方法。
【請求項１３】
前記フィードバックは、前記過去に取得されたセンシングデータを拡張することによって生成される、請求項１０〜１２のいずれか１項に記載のフィードバック提供方法。
【請求項１４】
前記フィードバックは、前記過去に取得されたセンシングデータに含まれる振動波形をイコライジングまたは増幅することによって生成される、請求項１３に記載のフィードバック提供方法。
【請求項１５】
前記フィードバックは、前記過去に取得されたセンシングデータから抽出される抽象的な情報に基づいて生成される、請求項１０〜１２のいずれか１項に記載のフィードバック提供方法。
【請求項１６】
前記フィードバックは、前記抽象的な情報を表現する記号的な情報を含む、請求項１５に記載のフィードバック提供方法。
【請求項１７】
対象のセンシングデータを取得するセンサ装置と、
前記センシングデータに基づいて、前記対象に発生するアクションおよび前記アクションの発生時刻を特定するセンシングデータ解析部と、前記特定されたアクションに応じて、提供されるフィードバックを決定するフィードバック決定部と、前記発生時刻に対応する時刻に前記フィードバックを提供するためのコマンドを生成するフィードバックコマンド生成部とを備える解析装置と、
前記コマンドに従って前記フィードバックを出力する出力装置と
を含むシステム。
【請求項１８】
対象のセンシングデータに基づいて、前記対象に発生するアクションおよび前記アクションの発生時刻を特定するセンシングデータ解析部と、
前記特定されたアクションに応じて、提供されるフィードバックを決定するフィードバック決定部と、
前記発生時刻に対応する時刻に前記フィードバックを提供するためのコマンドを生成するフィードバックコマンド生成部と
を備える解析装置。
【手続補正書】
【提出日】平成29年6月19日(2017.6.19)
【手続補正１】
【補正対象書類名】特許請求の範囲
【補正対象項目名】全文
【補正方法】変更
【補正の内容】
【特許請求の範囲】
【請求項１】
所定条件の成立に基づいて遊技者に有利な特別遊技を実行するか否かの判定を行い、該判定によって前記特別遊技を実行すると判定された場合は前記特別遊技を実行する遊技機であって、
前記特別遊技を実行するか否かの判定が行われた場合、該判定結果を報知するための報知演出を実行する報知演出実行手段と、
遊技者の有利さの度合いが異なる複数の遊技状態のうちいずれかの前記遊技状態にて遊技を制御する遊技状態制御手段と、
前記遊技状態制御手段によって所定の遊技状態に制御されているときに、演出態様が異なる複数種類の演出モードのうちいずれかの前記演出モードにて遊技の演出を制御する演出モード制御手段と、
前記報知演出実行手段による前記報知演出の実行中に前記遊技機に関する情報を表示する第１演出を行うか否かを決定する特定演出決定手段と、
前記特定演出決定手段によって前記第１演出を実行すると決定された場合、前記報知演出の実行中に前記第１演出を実行する特定演出実行手段と、を備え、
前記特定演出決定手段は、前記演出モード制御手段が制御する前記演出モードの種類に基づいて、前記第１演出を実行するか否かを決定する、
ことを特徴とする遊技機。
【請求項２】
前記特定演出決定手段は、前記演出モード制御手段が制御する前記演出モードの種類に応じて、前記特別遊技が行われるか否かを示唆する第２演出を実行するか否かを決定し、
前記特定演出実行手段は、前記特定演出決定手段によって前記第２演出を実行すると決定された場合、前記報知演出の実行中に前記第２演出を実行する、
ことを特徴とする請求項１に記載の遊技機。
【手続補正２】
【補正対象書類名】明細書
【補正対象項目名】０００８
【補正方法】変更
【補正の内容】
【０００８】
第１の発明にかかる遊技機は、所定条件の成立に基づいて遊技者に有利な特別遊技を実行するか否かの判定を行い、該判定によって前記特別遊技を実行すると判定された場合は前記特別遊技を実行する遊技機であって、前記特別遊技を実行するか否かの判定が行われた場合、該判定結果を報知するための報知演出を実行する報知演出実行手段（例えば、演出制御基板の変動演出パターン決定処理を実行する部分）と、遊技者の有利さの度合いが異なる複数の遊技状態のうちいずれかの前記遊技状態にて遊技を制御する遊技状態制御手段（例えば、主制御基板の遊技条件を示すフラグを制御する部分）と、前記遊技状態制御手段によって所定の遊技状態に制御されているときに、演出態様が異なる複数種類の演出モードのうちいずれかの前記演出モードにて遊技の演出を制御する演出モード制御手段（例えば、演出制御基板の演出モード設定処理を実行する部分）と、前記報知演出実行手段による前記報知演出の実行中に前記遊技機に関する情報を表示する第１演出を行うか否かを決定する特定演出決定手段（例えば、演出制御基板の特定演出決定処理におけるステップＳ１３４４−６の処理を実行する部分）と、前記特定演出決定手段によって前記第１演出を実行すると決定された場合、前記報知演出の実行中に前記第１演出を実行する特定演出実行手段（例えば、演出制御基板の特定演出決定処理におけるステップＳ１３４４−１９の処理を実行する部分）と、を備え、前記特定演出決定手段は、前記演出モード制御手段が制御する前記演出モードの種類に基づいて（例えば、演出制御基板の特定演出決定処理におけるステップＳ１３４４−４の処理）、前記第１演出を実行するか否かを決定することを特徴とする。
【手続補正３】
【補正対象書類名】明細書
【補正対象項目名】００１０
【補正方法】変更
【補正の内容】
【００１０】
第２の発明に係る遊技機は、第１の発明に係る遊技機であって、前記特定演出決定手段は、前記演出モード制御手段が制御する前記演出モードの種類に応じて、前記特別遊技が行われるか否かを示唆する第２演出を実行するか否かを決定し、前記特定演出実行手段は、前記特定演出決定手段によって前記第２演出を実行すると決定された場合、前記報知演出の実行中に前記第２演出を実行することを特徴とする。